(57)【要約】【課題】  ヨーク上への営巣を防止し得る領域に営巣防止器が配置可能となり、ヨーク上への鳥の営巣を効果的に防止し得る営巣防止器用取付具を提供することを目的とする。【解決手段】  送電鉄塔１０に営巣防止器２１を設置する際に用いられる営巣防止器用取付具であって、営巣防止器２１が取り付けられる営巣防止器取付部１を備え、ヨーク１５への営巣を防止し得る領域に前記営巣防止器取付部１が位置するように前記ヨーク１５または送電鉄塔１０の一方に設置されることを解決手段とする。【選択図】  図１
2005270051.tif 000002
【特許請求の範囲】
【請求項１】
送電鉄塔に営巣防止器を設置する際に用いられる営巣防止器用取付具であって、営巣防止器が取り付けられる営巣防止器取付部を備え、ヨーク上への営巣を防止し得る領域に前記営巣防止器取付部が位置するように前記ヨークまたは送電鉄塔の一方に設置されることを特徴とする営巣防止器用取付具。
【請求項２】
前記ヨークに設置されており、前記送電線用碍子は、前記ヨークと、該ヨークおよび送電鉄塔の間に跨設された耐張装置取付金具とを介して送電鉄塔に可動に支持され、且つ、前記営巣防止器取付部は、前記耐張装置取付金具とヨークの連結部位を略覆うべく形成されている請求項１に記載の営巣防止器用取付具。
【請求項３】
前記ヨークと耐張装置取付金具の連結方向に延びる一の基準線によって略線対称になるように形成されていると共に、前記営巣防止器取付部に前記基準線に対して対称に一対の営巣防止器が取り付けられるべく形成されている請求項２に記載の営巣防止器用取付具。
【発明の詳細な説明】
【技術分野】
【０００１】
本発明は、営巣防止器用取付具に関し、詳しくは、営巣防止器を送電鉄塔に設置する際に用いられる営巣防止器用取付具に関する。
【背景技術】
【０００２】
送電鉄塔の椀金吊材や塔体内に烏等がハンガー等の金属材料を用いて巣を作ることがあり、そのような金属材料が送電線に触れると、閃絡(フラッシュオーバー)により広範囲な停電を引き起こすことがあった。また、停電に至らない場合でも、金属材料と送電線との間に生じるコロナ放電によりテレビの電波障害が生じることがあった。
【０００３】
かかる営巣（巣作り）を防止すべく、図３に示すような営巣防止器２１が椀金吊材等に設置され、上述した各種障害の防止に成果を上げている。この営巣防止器２１は、図３に示す如く、椀金吊材等に用いられているボルト２２に螺合する固定部２３にやや可撓性を有する複数の線材２４，…（各先端に安全のためキャップ２５が被せてある。）を放射状（あるいは噴水状）に拡がるように複数本設けてなるものである（特許文献１参照）。ここで、各線材２４には、ステンレス線や耐候性と曲げ性に優れるＰＥＴ線が用いられ、固定部２３には、ステンレスやポリカーボネートが用いられる。
【０００４】
ところで、いわゆるバランス耐張式により送電線を架線する送電鉄塔においては、送電線用碍子を送電鉄塔の椀金主材に支持させるために平板状のヨークが用いられているが、該ヨークは、営巣に適した構成になっており、最近では、このヨーク上に営巣される被害が増えてきている。ここで、送電線用碍子とは、送電線と送電鉄塔を絶縁するために用いられる碍子のことであり、椀金主材とは、椀金吊材を塔体に支持させるべく椀金主材の下方に設けられている材料のことである。
【０００５】
しかしながら、前記ヨークおよびその近傍には、営巣防止器の設置に適した部位が少ないため、営巣防止器をヨーク上への営巣を防止し得る領域に配置することができず、ヨーク上への営巣を効果的に防止することができなかった。
【特許文献１】実開平３−５０９２０号公報
【発明の開示】
【発明が解決しようとする課題】
【０００６】
そこで、本発明は、上述した問題に鑑み、ヨーク上への営巣を防止し得る領域に営巣防止器が配置可能となり、ヨーク上への鳥の営巣を効果的に防止し得る営巣防止器用取付具を提供することを目的とする。
【課題を解決するための手段】
【０００７】
本発明に係る営巣防止器用取付具は、送電鉄塔に営巣防止器を設置する際に用いられる営巣防止器用取付具であって、営巣防止器が取り付けられる営巣防止器取付部を備え、ヨーク上への営巣を防止し得る領域に前記営巣防止器取付部が位置するように前記ヨークまたは送電鉄塔の一方に設置されることを特徴とする。
【０００８】
該営巣防止器用取付具によれば、営巣防止器取付部がヨーク上への営巣を防止し得る領域、即ち、例えば、烏等がヨーク上に侵入するときに通過したり、ヨーク上で羽ばたく際に翼がさしかかる領域に位置するので、かかる領域に営巣防止器が配置可能となり、ヨーク上への鳥の営巣を効果的に防止することができる。
【０００９】
前記営巣防止器用取付具にあっては、前記ヨークに設置されており、前記送電線用碍子は、前記ヨークと、該ヨークおよび送電鉄塔の間に跨設された耐張装置取付金具とを介して送電鉄塔に可動に支持され、且つ、前記営巣防止器取付部は、前記耐張装置取付金具とヨークの連結部位を略覆うべく形成されていることが好ましい。
【００１０】
上記好ましい構成によれば、営巣防止器取付部が、耐張装置取付金具とヨークの連結部位を略覆うべく形成されているので、該連結部位に営巣防止器が配置可能となり、特にバランス耐張式により送電線を架線する送電鉄塔において、ヨーク上への営巣防止に効果的となる。しかも、営巣防止器用取付具が、送電鉄塔に対して可動なヨークに該ヨークと共に動くように設置されるので、送電鉄塔に設置される場合と比較してヨークが送電鉄塔に対して動いたときにヨークに接触することもなく、営巣防止器を安全に設置することができる。
【００１１】
前記営巣防止器用取付具にあっては、前記ヨークと耐張装置取付金具の連結方向に延びる一の基準線によって略線対称になるように形成されていると共に、前記営巣防止器取付部に前記基準線に対して対称に一対の営巣防止器が取り付けられるべく形成されていることが好ましい。
【００１２】
上記好ましい構成によれば、営巣防止器用取付具が前記ヨークと取付金具の連結方向に延びる一の基準線によって略線対称になるように形成されているので、ヨークに対して安定に設置可能となる。しかも、営巣防止器取付部にヨークと耐張装置取付金具の連結方向に延びる一の基準線に対して対称に一対の営巣防止器が取り付けられるので、烏等がヨーク上に侵入したり、ヨーク上で羽ばたいたりすることがさらに困難となり、営巣防止効果が高められる。
【発明の効果】
【００１３】
以上のように、本発明に係る営巣防止器用取付具によれば、ヨーク上への営巣を防止し得る領域に営巣防止器が配置可能となり、ヨーク上への鳥の営巣を効果的に防止することができる。
【発明を実施するための最良の形態】
【００１４】
以下、本発明に係る営巣防止器用取付具の一実施形態について図面を参照しながら説明する。図１（ａ）は、本実施形態の営巣防止器用取付具の正面図であり、図１（ｂ）は、該営巣防止器用取付具の側面図である。
【００１５】
該営巣防止器用取付具は、図１（ａ）および図１（ｂ）に示すように、営巣防止器が取り付けられる営巣防止器取付部１と、営巣防止器用取付具をヨークや送電鉄塔の一部に設置する際に用いる設置部３とを備えており、ステンレス（金属）製の板材が所定の形状に成形されてなり、しかも、上下に段差を形成するように中途で屈曲され、且つ、基準線５に対して略線対称になるように形成されている。尚、本実施形態では、営巣防止器として図３に示した営巣防止器２１を用いる。
【００１６】
詳しくは、前記営巣防止器取付部１は、平面視Ｔ字状に形成されており、前記基準線５に対して左右に延びて形成された第１矩形状部２ａと、該第１矩形状部２ａの中央部に連結され、前記基準線５方向に延びて形成された第２矩形状部２ｂと、該第２矩形状部２ｂの一端部に連結され、下方に垂下する垂下部２ｃとを有している。そして、前記第１矩形状部２ａの両端部には、それぞれ営巣防止器２１（図３参照）の取り付けに用いる一対の取付穴１ａ，１ｂが前記基準線５に対して対称に形成されている。
【００１７】
また、前記設置部３は、矩形状に形成されており、その中央部にて前記垂下部２ｃの下端部に連結されている。そして、前記設置部３の両端部には、ヨークや送電鉄塔への営巣防止器用取付具の設置に用いる設置穴３ａ，３ｂが前記基準線５に対して対称に形成されている。このようにして、本実施形態の営巣防止器用取付具においては、第１および第２矩形状部２ａ，２ｂが互いに略平行に形成され、該第１および第２矩形状部２ａ，２ｂと設置部３とによって上下に段差が形成されている。
【００１８】
以下に、本実施形態の営巣防止器用取付具を用いて送電鉄塔に営巣防止器を設置する方法について説明する。
【００１９】
まず、図２（ａ）および図２（ｂ）を参照して、本実施形態の営巣防止器用取付具が設置される送電鉄塔１０について説明する。該送電鉄塔１０は、いわゆるバランス耐張式によって送電線１４を架線しており、送電鉄塔１０と送電線１４を絶縁する送電線用碍子１９が２連設けられている。また、送電鉄塔１０は、椀金吊材１２と、該椀金吊材１２を塔体１０ａに支持させるべく椀金吊材１２の下方に設けられた椀金主材１３とを備えている。
【００２０】
前記２連の送電線用碍子１９，１９は、一の椀金主材１３に対して対称に架線方向に一対設けられており、各送電線用碍子１９，１９は、その一端部にて椀金主材１３に連結され、他端部にて送電線１４を椀金主材１３に接触させないようにＵ字形のループを描かせるように懸垂させて支持している。
【００２１】
図２（ｂ）に、前記送電鉄塔１０と送電線用碍子１９，１９の連結領域を拡大して示す。該連結領域には、前記送電線用碍子１９，１９を送電鉄塔１０に支持させるべく平板状のヨーク１５が設けられている。詳しくは、前記送電線用碍子１９，１９は、前記ヨーク１５にボルト１５ａ，１５ａによって連結され、前記ヨーク１５は、耐張装置取付金具１７にボルト１７ａを介して水平方向に揺動自在に連結され、前記耐張装置取付金具１７は、前記椀金主材１３にヒンジ部１６を介して垂直方向に揺動自在に連結されている。即ち、前記送電線用碍子１９，１９は、前記ヨーク１５と、該ヨーク１５および送電鉄塔１０の間に跨設された耐張装置取付金具１７とを介して送電鉄塔１０に可動に支持されている。
【００２２】
また、前記ヨーク１５には、避雷用のアークホーン２０が、平板状の取付板２０ａを介してボルト２０ｂ，２０ｂによって固定されている。
【００２３】
本実施形態の営巣防止器用取付具１８は、前記ヨーク１５と取付板２０ａとの間にボルト２０ｂ，２０ｂを使用して固定する。即ち、営巣防止器用取付具１８の設置部３を、前記取付板２０ａとヨーク１５との間に挟み込み、前記設置穴３ａ，３ｂにボルト２０ｂ，２０ｂを挿通することで設置部３を取付板２０ａとヨーク１５との間に挟持固定させる。この際、前記基準線５（図１（ａ）参照）が、前記ヨーク１５と耐張装置取付金具１７の連結方向に延びるように、且つ、前記第１および第２矩形状部２ａ，２ｂによって、前記耐張装置取付金具１７とヨーク１５の連結部位であるボルト１７ａが略覆われる（ボルト１７ａが段差下方に位置する）ようにする。
【００２４】
次に、図１および図３を参照して、前記営巣防止器取付部１の取付穴１ａ，１ｂにそれぞれ下方からボルト２２を挿通し、各ボルト２２に営巣防止器２１の固定部２３を螺合することで基準線５に対して略対称に２個の営巣防止器２１，２１を取り付ける。
【００２５】
本実施形態の営巣防止器用取付具１８には、前記基準線５に対して対称に一対の営巣防止器２１，２１が取り付けられるので、営巣防止器２１が１個のみの場合と比較して、その営巣防止効果が高められる。即ち、かかる一対の営巣防止器１２，１２によって、烏等が巣作りをすべくヨーク１５上に侵入する際に障害となる度合が高まり、一方、羽ばたく際にも放射状の線材２４，…に翼が必ず接触するようになるため、烏等が営巣を完全に断念するようになる。しかも、何ら特別な器具を用いることなく既設のヨーク１５に用いられている部材（ボルト２０ｂ等）を用いて該ヨーク１５に設置し得るので、極めて簡単に設置することができ、作業性にも優れている。そして、巣の撤去作業に要していた多額の費用が削減できるようにもなる。
【００２６】
尚、本発明の営巣防止器用取付具は、上述した実施の形態に限定されず、本発明の技術的思想の範囲で種々の形態の実施が可能である。
【００２７】
例えば、上記実施形態における営巣防止器は、図１（ａ）および図１（ｂ）に示したような放射状の線材２４，…を有する形態としたが、本発明における営巣防止器はこれに限定されず、ヨーク１５への営巣を防止し得るものである限り、他の形態であってもよい。
【００２８】
また、上記実施形態に係る営巣防止器用取付具は、図２（ａ）および図２（ｂ）に示したような形態としたが、本発明の営巣防止器用取付具はこれに限定されず、ヨーク１５への営巣を防止し得る領域に営巣防止器２１の配置を可能とし、これによりヨーク１５への営巣が防止され得るものである限り、他の形態であってもよい。
【００２９】
また、図３に示したように、営巣防止器２１を基準線５に対して一対（２個）取り付け可能としたが、このように基準線５に対して対称に取り付ける必要は必ずしもなく、さらには、３個以上取り付け可能としてもよい。
【００３０】
さらに、営巣防止器２１を営巣防止器用取付具１８に取り付ける手段としてボルト２２を用いたが、シャコ万力等、他の手段を用いることも可能である。
【００３１】
さらにまた、営巣防止器用取付具１８は、営巣防止器２１をより安全且つ安定に設置するために、送電鉄塔１０に対して揺動自在なヨーク１５に設置したが、ヨーク１５や耐張装置取付金具１７への接触が回避され、営巣防止器２１が安全に設置される限り、椀金主材１３等、送電鉄塔１０の一部に設置することも可能である。
【図面の簡単な説明】
【００３２】
【図１】図１（ａ）は、本発明の一実施形態に係る営巣防止器用取付具の平面図であり、図１（ｂ）は、同営巣防止器用取付具の側面図である。
【図２】図２（ａ）は、同送電鉄塔の概略図であり、図２（ｂ）は、その要部拡大図である。
【図３】図３は、同営巣防止器の全体図である。
【符号の説明】
【００３３】
１…営巣防止器取付部、１０…送電鉄塔、１５…ヨーク、１９…送電線用碍子、２１…営巣防止器
【図１】
2005270051.tif 000003
【図２】
2005270051.tif 000004
【図３】
2005270051.tif 000005